(57)【要約】 【課題】  静電容量の変化を検出して操作者の操作子への押圧を高精度に検出可能な操作子及びこれを備えた再生装置を提供する。【解決手段】  記憶されたデータの読み出し速度及び読み出し順序に関する指示を操作者から受け付ける操作子は、回転軸４０の一端に設けられ、操作者による回転操作を受け付ける回転可能な操作円盤部３８と、回転軸４０に挿通され、操作円盤部３８に向かう面に、静電容量を検出するためのセンサパターン４４が設けられたセンサ基板部３４と、操作円盤部３８とセンサ基板部３４との間に、センサパターン４４をカバーするとともに操作円盤部３８の押下の際にたわむよう設けられ、グランド電位に設定された導電カバー部３６と、を備える。【選択図】  図２
2008135147.tif 000002
【特許請求の範囲】
【請求項１】
メモリに記憶されたデータの読み出し速度及び読み出し順序に関する指示を操作者から受け付ける操作子であって、
回転軸の一端に設けられ、操作者による回転操作を受け付ける回転可能な操作円盤部と、
前記回転軸に挿通され、前記操作円盤部に向かう面に、静電容量を検出するためのセンサパターンが設けられたセンサ基板部と、
前記操作円盤部と前記センサ基板部との間に、前記センサパターンをカバーするとともに前記操作円盤部の押下の際にたわむよう設けられ、グランド電位に設定された導電カバー部と、
を備える、ことを特徴とする操作子。
【請求項２】
前記導電カバー部と前記センサパターンとの間の静電容量値が所定の閾値を下回ったとき、その旨の信号を出力するセンサチップを備える、ことを特徴とする請求項１に記載の操作子。
【請求項３】
前記センサパターンは互いに等間隔に４つ設けられる、ことを特徴とする請求項１又は２に記載の操作子。
【請求項４】
前記センサパターンは、同心円上に設けられた、中心角が７０°の扇形状を有して互いに１０°離間して配置される、ことを特徴とする請求項３に記載の操作子。
【請求項５】
前記導電カバー部と前記センサパターンとの間の距離は０．５ｍｍである、ことを特徴とする請求項１乃至４のいずれか１項に記載の操作子。
【請求項６】
前記操作円盤部と、前記導電カバー部との間に設けられ、複数のシートよりなるマット部をさらに備える、ことを特徴とする請求項１乃至５のいずれか１項に記載の操作子。
【請求項７】
メモリに記憶されたデータの読み出し速度及び読み出し順序に関する指示を操作子を介して操作者から受け付ける操作部と、前記操作部が受け付けた指示に基づいてメモリに記憶されたデータの読出し制御を行う制御部と、を備える再生装置であって、
前記操作子は、
回転軸の一端に設けられ、操作者による回転操作を受け付ける回転可能な操作円盤部と、
前記回転軸に挿通され、前記操作円盤部に向かう面に、静電容量を検出するためのセンサパターンが設けられたセンサ基板部と、
前記操作円盤部と前記センサ基板部との間に、前記センサパターンをカバーするとともに前記操作円盤部の押下の際にたわむよう設けられ、グランド電位に設定された導電カバー部と、
を備える、ことを特徴とする再生装置。
【請求項８】
前記制御部は、操作者による前記操作円盤部の押圧によりたわむ前記導電カバー部と前記センサパターンとの間の静電容量値が所定の閾値を下回ったとき、前記操作子が押圧されたと判別する、ことを特徴とする請求項７に記載の再生装置。
【請求項９】
前記センサパターンは互いに等間隔に４つ設けられる、ことを特徴とする請求項７又は８に記載の再生装置。
【請求項１０】
前記センサパターンは、同心円上に設けられた、中心角が７０°の扇形状を有して互いに１０°離間して配置される、ことを特徴とする請求項９に記載の再生装置。
【請求項１１】
前記導電カバー部と前記センサパターンとの間の距離は０．５ｍｍである、ことを特徴とする請求項７乃至１０のいずれか１項に記載の再生装置。
【請求項１２】
前記操作円盤部と、前記導電カバー部との間に設けられ、複数のシートよりなるマット部をさらに備える、ことを特徴とする請求項７乃至１１のいずれか１項に記載の再生装置。
【発明の詳細な説明】
【技術分野】
【０００１】
本発明は、記憶されたデジタルデータの自在な再生が可能な再生装置の技術に関する。
【背景技術】
【０００２】
ディスコクラブ等でディスクジョッキー等の操作者が使用する再生装置では、頭出し、スクラッチ再生等の操作手段として、回転操作可能な円盤状の操作子を備える。このような再生装置は、操作子の回転方向、回転速度、回転の変化量及び操作子への操作者による操作の有無を検出し、検出した操作に応じたスクラッチ再生等の特殊再生を行う（例えば、特許文献１及び２参照）。
【０００３】
操作子に対する操作者の押圧を検出する構成においては、一般に、操作子の外縁下方に円周上に複数のスイッチが配置される（例えば特許文献２参照）。操作者が操作子を操作する際に、操作子が下方に下がってスイッチを押す事で、押圧が検出される。スイッチとしては、機械式スイッチやメンブレンスイッチが用いられる。
また、特許文献１には、誘電体物質よりなる圧力感知層を筐体に設け、圧力感知層により操作子外縁の押圧を検出する構成が開示されている。
さらに、特許文献１には、静電容量の変化を検知する静電容量センサを用いる可能性について記載されているが、その具体化については何ら開示されていない。
【０００４】
しかし、これら従来の操作子を用いる押圧検出方法には、以下のような不都合がありうる。まず、スイッチで検出する場合、スイッチ配置部と非配置部の操作感触の違いや、ストローク（操作子とスイッチまでの距離）やクリック感による操作の違和感がありうる。また、物理的接触により経年劣化が生じやすく、検出精度が維持できないおそれがある。さらに、このようなスイッチを設ける構成は、金型等の製造コストが高い。
【０００５】
次に、圧力感知層で検知する場合、圧力感知層と操作子とがシートを介して常に接触することとなり、摩擦等による劣化が激しく、高精度の検出が維持されない等の問題があり、現実的ではない。また、スイッチを用いる場合も同様であるが、操作子側と筐体側との間の位置関係で押圧検出するため、装置全体のデザインに制約がある。
【０００６】
この点、静電容量センサ（例えば、特許文献３参照）を操作子に適用して操作子自体において押圧検出できれば、物理的接触による経年劣化が起こりにくくなり、デザイン面での自由度も上がり、製造コストも低い等、望ましい。
【０００７】
【特許文献１】特開２００２−３４３０２６号公報（段落００８２等）
【特許文献２】特開２００５−１９０６３３号公報
【特許文献３】特開平１１−２５８０９０号公報
【発明の開示】
【発明が解決しようとする課題】
【０００８】
ここで、静電容量センサは、通常、照明のオン・オフを制御するスイッチ等に用いられるなど、それほど高い押圧検出精度は求められない。しかし、ディスクジョッキー等が用いる再生装置では、操作子への押圧の有無に応じて音声処理を切換え、音声を止める等の処理を例えば拍単位でリアルタイムで行う。このため、再生装置の操作子に用いる押圧検出手段には、高い押圧検出の精度が求められる。
【０００９】
しかし、静電容量センサを単純に操作子に適用した場合、人が近接した事による静電容量変化や外来ノイズの影響等で、誤検出が発生してしまう。特許文献１には静電容量検出を行う場合に生じるこの問題については何ら開示されていない。このように、従来より、静電容量の変化を検出して操作者の操作子への押圧を高精度に検出可能な操作子及びこれを備えた再生装置の実用化が求められていた。本発明は、上記従来技術における問題点を解決することを目的とする。
【課題を解決するための手段】
【００１０】
上記目的を達成するため、本発明の第１の態様における操作子は、メモリに記憶されたデータの読み出し速度及び読み出し順序に関する指示を操作者から受け付ける操作子であって、回転軸の一端に設けられ、操作者による回転操作を受け付ける回転可能な操作円盤部と、前記回転軸に挿通され、前記操作円盤部に向かう面に、静電容量を検出するためのセンサパターンが設けられたセンサ基板部と、前記操作円盤部と前記センサ基板部との間に、前記センサパターンをカバーするとともに前記操作円盤部の押下の際にたわむよう設けられ、グランド電位に設定された導電カバー部と、を備える。
【００１１】
上記構成の操作子は、前記導電カバー部と前記センサパターンとの間の静電容量値が所定の閾値を下回ったとき、その旨の信号を出力するセンサチップを備える。
【００１２】
上記構成において、前記センサパターンは互いに等間隔に４つ設けられることが好ましい。このとき、前記センサパターンは、同心円上に設けられた、中心角が７０°の扇形状を有して互いに１０°離間して配置されることが好ましい。
【００１３】
上記構成において、前記導電カバー部と前記センサパターンとの間の距離は０．５ｍｍであることが好ましい。
【００１４】
上記構成の操作子は、前記操作円盤部と、前記導電カバー部との間に設けられ、複数のシートよりなるマット部をさらに備えてもよい。
【００１５】
上記目的を達成するため、本発明の第２の態様における再生装置は、メモリに記憶されたデータの読み出し速度及び読み出し順序に関する指示を操作子を介して操作者から受け付ける操作部と、前記操作部が受け付けた指示に基づいてメモリに記憶されたデータの読出し制御を行う制御部と、を備える再生装置であって、前記操作子は、回転軸の一端に設けられ、操作者による回転操作を受け付ける回転可能な操作円盤部と、前記回転軸に挿通され、前記操作円盤部に向かう面に、静電容量を検出するためのセンサパターンが設けられたセンサ基板部と、前記操作円盤部と前記センサ基板部との間に、前記センサパターンをカバーするとともに前記操作円盤部の押下の際にたわむように設けられ、グランド電位に設定された導電カバー部と、を備える。
【００１６】
上記構成において、前記制御部は、操作者による前記操作円盤部の押圧によりたわむ前記導電カバー部と前記センサパターンとの間の静電容量値が所定の閾値を下回ったとき、前記操作子が押圧されたと判別する。
【００１７】
上記構成の再生装置は、前記導電カバー部と前記センサパターンとの間の静電容量値が所定の閾値を下回ったとき、その旨の信号を出力するセンサチップを備える。
【００１８】
上記構成において、前記センサパターンは互いに等間隔に４つ設けられることが好ましい。このとき、前記センサパターンは、同心円上に設けられた、中心角が７０°の扇形状を有して互いに１０°離間して配置されることが好ましい。
【００１９】
上記構成において、前記導電カバー部と前記センサパターンとの間の距離は０．５ｍｍであることが好ましい。
【００２０】
上記構成の再生装置は、前記操作円盤部と、前記導電カバー部との間に設けられ、複数のシートよりなるマット部をさらに備えてもよい。
【発明の効果】
【００２１】
本発明によれば、静電容量の変化を検出して操作者の操作子への押圧を高精度に検出可能な操作子及びこれを備えた再生装置が提供される。
【発明を実施するための最良の形態】
【００２２】
以下、本発明の実施の形態について図面を参照しつつ詳細に説明する。以下に示す実施の形態では、可搬型又は外部の記録媒体に記録されたデジタルオーディオデータについてスクラッチ再生等の特殊再生が可能な再生装置を例として説明する。なお、以下に示す実施の形態は一例であり、これに限定されない。
【００２３】
図１に、本発明の実施の形態にかかる再生装置１０の構成を示す。図１に示す再生装置１０は、制御部１２と、再生部１４と、信号処理部１６と、メモリ制御部１８と、ＲＡＭ（Random Access Memory）２０と、ＤＡＣ（Digital to Analog Converter）２２と、操作部２４と、表示部２６と、を備える。
【００２４】
制御部１２は、以下で詳述する再生装置１０の動作を統括的に制御する。
【００２５】
再生部１４は、可搬型又は外部の記録媒体に記録された圧縮された及び／又は非圧縮のデジタルオーディオデータを再生する。記録媒体としては、ＣＤ（Compact Disc）、ＤＶＤ（Digital Versatile Disc）、外部接続可能な外部メモリ等が挙げられる。再生部１４は、記録媒体にトラック単位で記録された圧縮デジタルオーディオデータを再生し、所定フォーマットに変換して出力する。
【００２６】
再生部１４が再生したデジタルオーディオデータは、信号処理部１６に入力される。信号処理部１６は、デジタルオーディオデータの復調、同期信号の抜き出し等の処理を行い、デジタルオーディオデータをメモリ制御部１８に出力する。
【００２７】
メモリ制御部１８は、入力されたデジタルオーディオデータをＲＡＭ２０に書き込むよう制御する。ＲＡＭ２０は、入力されたデジタルオーディオデータを記憶する。また、メモリ制御部１８は、ＲＡＭ２０が記憶したデジタルオーディオデータをＲＡＭ２０から読出すよう制御する。
【００２８】
ＲＡＭ２０から読み出されたデータはＤＡＣ２２に出力される。ＤＡＣ２２は、デジタルオーディオデータをアナログオーディオ信号に変換する。ＤＡＣ２２により変換されたアナログオーディオ信号は、出力端子から出力される。デジタル入力可能な機器に出力する場合には、ＤＡＣ２２を設けず、所定のデジタルフォーマットで出力するようにしてもよい。
【００２９】
表示部２６は、液晶表示装置等から構成され、現在再生しているトラックの再生時間、トラックナンバー等を表示する。
【００３０】
操作部２４は、再生ボタン、再生停止ボタン等が設けられた、例えば図２に示すような操作パネル２４ａから再生制御に関する指示を受け付けるとともに、操作部２４は、後述する操作子３２からスクラッチ再生等の指示を受け付ける。操作部２４は、操作子３２への操作者の押圧の有無を検出する押圧検出部２８と、操作子３２の回転操作状態を検出する回転検出部３０と、を備える。例えば、図に示す操作パネル２４ａには、操作子３２、表示部２６を構成するディスプレイ２６ａを備え、操作者は、ディスプレイ２６ａを見たりしつつ、操作子３２等を操作する。
【００３１】
図３に、本実施の形態にかかる再生装置１０の側断面図を示す。図３に示す再生装置１０は、筐体３１の操作パネル２６等を構成する上面略中央に操作子３２が設けられて構成されている。筐体３１は、例えばプラスチック材料から構成され、例えば直方形状の外観を構成する。操作子３２は、センサ基板部３４と、導電カバー部３６と、操作円盤部３８と、回転軸４０と、スリットシート部４２と、を備える。
【００３２】
センサ基板部３４は、筐体３１の略中央に設けられた凹部の上に固定された、環状の円盤状部材から構成される。センサ基板部３４は、例えば、ローコストな紙フェノールやガラスエポキシ基材、銅箔パターン等から構成される。
【００３３】
図４にセンサ基板部３４の上面図を示す。図４に示すように、センサ基板部３４の上面には、静電容量検出用のセンサパターン４４及びグランドパターン４６並びにセンサチップ４８が設けられている。センサパターン４４は例えば銅箔から構成される。本例では、長方形状のセンサパターン４４が互いに略等間隔に４個設けられているが、センサパターン４４の数は４個に限定されない。グランドパターン４６は１個設けられ、接地される。センサチップ４８は、センサパターン４４及びグランドパターン４６に電気的に接続される。センサチップ４８、センサパターン４４及びグランドパターン４６は、本例における押圧検出部２８を構成し、後述するように静電容量の変化に応じて操作子３２が押圧された旨の信号を出力する。
【００３４】
図３に戻り、導電カバー部３６は、りん青銅等の導電材料から構成される。導電カバー部３６は、センサ基板部３４に設けられたセンサパターン４４を少なくとも覆うよう形成された薄板状部材から構成される。図５に、導電カバー部３６の上面図を示す。図５に示すように、本例の導電カバー部３６は、長方形状のセンサパターン４４と同じか又はこれよりも広い幅広部分を４個有し、これらの幅広部分が中心の環状部分に接続されている。従って、導電カバー部３６は、その全体において同一電位にある。導電カバー部３６はグランドパターン４６に電気的に接続され、グランド電位にある。
【００３５】
図３に戻り、センサ基板部３４と導電カバー部３６とは互いに係合し、筐体３１に固定されている。センサ基板部３４と導電カバー部３６とが係合した状態では、導電カバー部３６は、センサ基板部３４のセンサパターン４４の上方に、これをカバーするように離間して保持される。センサパターン４４と導電カバー部３６との間は、例えば、０．５ｍｍに離間される。導電カバー部３６は、上方からの押圧力に対して例えば０．３ｍｍ程度たわむことができるよう構成されている。
【００３６】
センサチップ４８は、導電カバー部３６とセンサパターン４４との間の距離に応じて変動する静電容量値を検出する。センサパターン４４はグランド電位にある導電カバー部３６にセンサ面がカバーされている。このため、センサパターン４４は導電カバー部３６により、シールドされた状態となり、操作者の手や、その他大地アースに近いものが近づいても、検出される静電容量値には変化は生じない。一方、導電カバーが上方からの押圧力によりたわんだとき、導電カバー部３６とセンサパターン４４との距離が縮まり、検出される静電容量には変化が生じる。
【００３７】
センサチップ４８は、センサパターン４４と導電カバー部３６との間に形成される静電容量を検出し、容量値が所定の閾値を下回ったとき、その旨の信号を制御部１２に出力する。制御部１２は、当該信号をセンサチップ４８から受け取ったとき、後述する操作円盤部３８が押圧されたと判別する。センサチップ４８は、例えば、導電カバー部３６とセンサパターン４４との間の距離が０．３ｍｍ程度となるときの静電容量値を閾値として判別する。なお、センサチップ４８はセンサパターン４４と同じセンサ基板部３４上に設けられなくともよく、その配置は任意である。
【００３８】
操作円盤部３８は、導電カバー部３６の上に配置され、ポリカーボネート等のプラスチック材料よりなる環状円盤状部材から構成される。操作円盤部３８は、例えば、直径５ｃｍ〜３０ｃｍ、例えば、７ｃｍの外径と、０．５〜２．０ｃｍ、例えば０．８ｍｍの厚みを有し、センサ基板部及び導電カバー部３６のサイズは操作円盤部３８のサイズに基づいてこれよりも小径に設定される。
【００３９】
操作円盤部３８と導電カバー部３６との間にはマット部５０が設けられている。マット部５０は、操作円盤部３８と略同一の外径を有し、好ましくは摩擦係数が小さく、静電気が発生しにくいプラスチック材料（ナイロン、ＰＥＴ（ポリエチレンテレフタレート）等）等よりなる。操作円盤部３８はマット部５０の上を回転する。ここで、操作円盤部３８をセンサ基板部３４の上で滑らかに回転することができ静電気が発生しにくい材料から構成すれば、マット部５０は設けなくともよい。この場合、導電カバー部３６をセンサ基板部３４の上面全体をカバーするように設けることが好ましい。
【００４０】
本例において、マット部５０は、複数枚の、例えば、５枚のプラスチックシートを重ねて構成されている。各シートは、同じ材料より構成されていなくてもよく、例えば、中心にＰＥＴから構成されるシートを設け、その両側にナイロンから構成されるシートを複数枚重ねるようにしてもよい。このように、マット部５０を複数枚のシートを重ねた構成とすることにより、操作円盤部３８を滑りやすさを向上させることができ、かつ、操作者に好ましい操作感覚（押圧感）を与えることができる。
【００４１】
回転軸４０は、センサ基板部３４、導電カバー部３６及び操作円盤部３８の略中心を貫通して設けられている。回転軸４０の一端は、操作円盤部３８の上面において保持部５２にネジで固定される。このため、操作円盤部３８は、回転軸４０から外れることがなく、マット部５０を介してセンサ基板部３４の上方を回転することができる。
【００４２】
また、回転軸４０の他端には、重し５６が設けられている。重し５６は、例えば、３３．５ｇの重量、直径５ｃｍ程度の例えば鉄製の円盤から構成される。操作円盤部３８を操作者が回転させたとき、重し５６も同様に回転し、操作円盤部３８の回転に慣性力を与える。ここで、操作円盤部３８には、十分な回転性が求められるが、マット部５０の滑りやすさと、重し５６の付勢力とが重要な要因となる。
【００４３】
操作円盤部３８及びマット部５０は、アナログレコードプレーヤにおいて、アナログレコード及びスリップマットにそれぞれ対応する。操作者、例えば、ディスクジョッキーは、アナログレコードプレーヤにおけるのと同様の操作感覚で操作円盤部３８を回転操作し、スクラッチ再生等を行うことができる。
【００４４】
操作者が操作のため、操作円盤部３８を上方から押圧したとき、操作円盤部３８の下のマット部５０及び導電カバー部３６は押圧力によりたわむ。このとき、押圧検出部２８（センサチップ４８）は、たわんだ導電カバー部３６とセンサパターン４４との間に形成される静電容量値が所定の閾値を下回ったとき、その旨の信号を制御部１２に出力する。制御部１２は、当該信号を受け取ったとき、操作円盤部３８が操作者によって押圧して操作されたと判別する。
【００４５】
スリットシート部４２は、プラスチック材料等よりなる円盤状部材から構成される。スリットシート部４２は、その略中心に回転軸４０が貫通され図示しないネジにより回転軸４０に固定されている。操作円盤部３８とスリットシート部４２とは、回転軸４０を介して一体的に回転する。スリットシート部４２は、筐体３１の内側に配置される。従って、筐体３１の上面に露出する操作円盤部３８が回転操作されると、筐体３１内部でスリットシート部４２は操作円盤部３８の回転に対応した回転速度及び方向に回転する。スリットシート部４２の外周部には、スリット部４２ａが設けられている。スリット部４２ａは、例えば、長方形状の開口部又はカーボンが含まれた印刷塗料による印刷によって形成されている。
【００４６】
スリットシート部４２の外周部の近傍には、スリットシート部４２の回転速度及び回転方向を検出する回転検出部３０が筐体３１に設置されている。回転検出部３０は、２つの図示しない光センサを備え、回転するスリットシート部４２のスリット部４２ａの動きを検出できる位置に配置される。回転検出部３０は、スリット部４２ａを検出すると、２つの光センサから位相が異なる（例えば、９０°の位相差）パルス信号を発生して制御部１２に出力する。
【００４７】
制御部１２は、入力される２相のパルス信号の位相差に基づいて操作円盤部３８の回転方向を判別する。また、制御部１２は、単位時間に入力されたパルス信号のパルス数から操作円盤部３８の回転速度を判別する。
【００４８】
なお、本例では、回転検出部３０に光センサ（フォトインタラプタ）を用いる構成としたが、ロータリエンコーダ等の他の回転検出手段を用いて操作円盤部３８の回転状態（回転方向、回転速度）を検出するようにしてもよい。
【００４９】
上述したように、制御部１２は、押圧検出部２８から操作円盤部３８の押圧を検出した旨の信号（以下、押圧検出信号という。）を受け取り、また、回転検出部３０からは操作円盤部３８の回転状態に関する信号（以下、回転状態信号という。）を受け取る。制御部１２は、受け取った押圧検出信号及び回転状態信号に基づいて、例えば、以下のようにオーディオ信号の再生を制御する。
【００５０】
（通常再生）
制御部１２は、回転状態信号及び押圧検出信号が共に入力されていない状態では、記録媒体に記録されたオーディオデータを通常の速度及び順序で再生する。
【００５１】
（スクラッチ再生）
制御部１２は、回転状態信号及び押圧検出信号が共に入力されたとき、判別した操作円盤部３８の回転速度及び回転方向に対応した読み出し速度及び読み出し順序でＲＡＭ２０からデジタルオーディオデータを読み出すようにメモリ制御部１８を制御する。メモリ制御部１８は、ＲＡＭ２０に記憶されたデジタルオーディオデータの読み出し速度及び読み出し順序（オーディオデータを昇順又は降順アドレスで読み出す）を制御する。例えば、制御部１２は、操作円盤部３８が時計回り方向に回転操作されると、その回転速度に応じた読み出し速度で、ＲＡＭ２０に記憶されたデジタルオーディオデータを昇順アドレスで読み出すように制御をする。また、操作円盤部３８が反時計回り方向に回転操作されると、その回転速度に応じた読み出し速度で、ＲＡＭ２０に記憶されたデジタルオーディオデータを降順アドレスで読み出すように制御をする。
【００５２】
スクラッチ再生を行う場合、操作者は、通常再生をしているときに手で操作円盤部３８を押しながら素早く時計回り方向又は反時計回り方向に回転させる。通常、アナログレコードプレーヤを用いてスクラッチ再生を行うとき、ターンテーブルの回転に逆らって素早くアナログレコードを回転させるために、操作者は、アナログレコードを押しながら回転操作を行う。このため、操作者がアナログレコードと同様の操作感覚で操作円盤部３８を操作すると、操作円盤部３８は下方向に押圧されながら回転操作される。
【００５３】
操作者が操作円盤部３８を押しながら回転操作すると、操作円盤部３８及び導電カバー部３６は、押圧力により下方向にたわむ。導電カバー部３６がたわみ、所定の静電容量値を下回ったとき、押圧検出部２８は押圧検出信号を発生して制御部１２に出力する。また、回転検出部３０は、回転しているスリット部４２ａを検出すると、回転状態信号（上述したパルス信号）を発生して制御部１２に出力する。したがって、操作者が操作円盤部３８を押圧しながら回転操作をすると、回転状態信号及び押圧検出信号が制御部１２に出力される。
【００５４】
制御部１２は、回転状態信号及び押圧検出信号が共に入力されているとき、回転状態信号に基づいて判別した操作円盤部３８の回転速度及び回転方向に対応した読み出し速度及び読み出し順序でＲＡＭ２０からデジタルオーディオデータを読み出すようにメモリ制御部１８を制御する。
【００５５】
操作者が操作円盤部３８から手を離しスクラッチ再生を終了すると、操作円盤部３８及び導電カバー部３６は、弾性により押圧前の状態に戻る。押圧検出部２８は、検出される静電容量値が閾値を超えると、制御部１２への押圧検出信号の出力を停止する。制御部１２は、回転検出部３０から回転状態信号が入力されていても、押圧検出部２８から押圧検出信号の入力が停止すると、メモリ制御部１８に通常再生時の読み出し速度でＲＡＭ２０からデジタルオーディオデータを読み出す制御をさせる。すなわち、制御部１２は、回転状態信号及び押圧検出信号が共に入力されている場合は、回転状態信号に基づいてＲＡＭ２０からデジタルオーディオデータを読み出す制御をし、押圧検出信号の入力が停止し回転状態信号のみが入力されている状態になると、デジタルオーディオデータを通常再生時の読み出し速度でＲＡＭ２０から読み出す制御をする。したがって、操作円盤部３８が慣性によって回転している間に発生した回転状態信号が制御部１２に入力されていても、制御部１２に押圧検出信号の入力が停止するとスクラッチ再生から通常再生に戻ることができる。
【００５６】
以上説明したように、上記実施の形態にかかる操作子３２は、静電容量の変化を通じて操作者による操作子３２の押圧を検出する押圧検出部２８を備える。ここで、押圧検出部２８を構成する静電容量センサパターン４４は、グランド電位に設定された導電カバー部３６にカバーされている。
【００５７】
このため、操作者と、センサパターン４４と、の間の静電容量値に影響されずに、導電カバー部３６とセンサパターン４４との間の静電容量変化のみを検出する事ができる。すなわち、センサパターン４４は導電カバー部３６により、シールドされた状態となり、操作者の手や、その他大地アースに近いものがセンサに近づいても、実際に操作円盤部３８が押圧され、微少な、物理的変化を生じるまでは、静電容量変化は発生せず、非押圧時の誤検出は実質的に回避される。
【００５８】
また、静電容量変化によって操作子３２の押圧を検出する構成であることから、スイッチを用いて押圧を検出する構成と異なり、物理的接触による経年劣化等の問題は実質的に回避・軽減され、さらに、スイッチの配置場所による操作感覚の違いや、クリック感による違和感も生じない。さらにまた、押圧検出手段を操作子３２の内部に設けることができるため、再生装置１０の全体的デザインへの制約は少なくなり、金型等のコスト低減も可能となり、センサ交換等の修理も容易となる。
【００５９】
以上のように、上記実施の形態によれば、操作子３２への押圧検出に静電容量センサを使用して操作性を大幅に改善しつつ、人の隣接や外来ノイズによる静電容量への影響を排除して、人が押圧した場合のみを検出することが可能な操作子３２及び再生装置が提供される。
【００６０】
本発明は、上記実施の形態に限られず、種々の変更、修正等が可能である。
例えば、上記実施の形態では、再生装置１０は記録媒体に記録されたデータを再生する再生部１４を備えた構成としたが、再生部１４を備えず、外部の再生手段から入力されるデータについて処理するようにしてもよい。
また、上記実施の形態では、オーディオデータのみを再生する例について説明したが、これに限らず、オーディオデータ及びビデオデータを再生するようにしてもよい。
【００６１】
（実施例）
以下、本実施の形態におけるセンサパターン４４及び導電カバー部３６の実施例について説明する。
【００６２】
操作子３２は、操作者の上下左右の４方向（例えば、図２における操作子３２の上下左右方向）の押圧を受け付け、検出する必要がある。例えば、ディスプレイ２６ａには多階層に分けられた選択項目が表示され、操作者は操作子３２の左右方向で異なる階層の項目を選択し、上下方向で同一階層の項目を選択する。各方向の検出は互いに干渉しないことが要求される。このため、センサパターン４４は、操作者に対して、上下左右の方向に各１つ設けることが好ましい。センサパターン４４の間には、センサ基板部３４を固定するネジ止め部分を設けることができる。
【００６３】
一方で、操作子３２は、再生中に３６０°方向（全方向）の押圧を検出可能であることも要求とされる。上記の理由により図４に示すようにセンサパターン４４は上下左右に各１つ設けた場合、４５°方向、すなわち、センサパターン４４を設けていない方向における押圧検出感度の確保が問題となる。
【００６４】
さらに、センサパターン４４と導電カバー部４４との距離が大きいほど検出のために十分な容量変化量を確保できる。しかし、押圧の際の上下の操作量と操作トルクが増加するため、操作感が悪くなる。したがって、センサパターン４４と導電カバー部４４との距離については、操作感を悪くせずに、かつ、押圧検出のための容量変化量を確保可能なものとする必要がある。本発明者らが鋭意検討した結果、センサパターン４４と導電カバー部との距離は、０．５ｍｍ程度が最適であることが判明した。本実施例においては、この距離において、操作子３２に関する上記要求を満たす構成例について説明する。
【００６５】
図６に実施例にかかるセンサパターン４４の構成例を示す。図に示す例において、センサパターン４４は、それぞれ扇状に形成され、図の上下左右方向に同心円上に配置されている。センサパターン４４は、好ましくは、中心に対して７０°の幅で設けられ、互いに１０°の間隔で設けられている。センサパターン４４がこのように配置されることにより、操作子３２の上下左右方向の押圧は確実に検出可能となる。
【００６６】
図７に実施例にかかる導電カバー部３６の構成例を示す。図に示す例において、導電カバー部３６は、環状の中心部３６ａと、扇状の幅広部３６ｂと、を備える。４つの幅広部３６ｂは中心部３６ａから上下左右の各方向に接続されている。幅広部３６ｂは、センサパターン４４をちょうど覆うように、好ましくは、わずかに広く覆うように形成される。幅広部３６ｂは、好ましくは、中心から７１°前後の幅で、互いの間隔は９°前後となるよう設けられる。
【００６７】
このようにセンサパターン４４及び導電カバー部３６を構成することにより、互いに間隔を０．５ｍｍ程度とした場合において、良好な操作感を確保しつつ、４方向の互いに干渉しない押圧検出及び全方位的な押圧検出が可能となる。すなわち、中心に対して１０°程度センサパターン４４を互いに離間させて配置することにより、上下左右方向の押圧を互いに干渉しないように検出し、かつ、その中間にあたる４５°方向においても押圧を検出可能とすることができる。
【００６８】
この構成において、本発明者らが検証した結果によれば、検出感度については、上下左右方向（０°）の感度を１０とした場合に、４５°方向の感度は７程度であった。また、検出に必要な荷重は５０ｇ〜１００ｇ程度とし、適度な操作感を実現することができた。
【図面の簡単な説明】
【００６９】
【図１】本発明の実施の形態にかかる再生装置の構成を示すブロック図である。
【図２】本発明の実施の形態にかかる操作パネルの例を示す図である。
【図３】本発明の実施の形態にかかるセンサ基板部の上面図を示す図である。
【図４】本発明の実施の形態にかかるセンサ基板部の上面図を示す図である。
【図５】本発明の実施の形態にかかる導電カバー部を示す図である。
【図６】実施例にかかるセンサ基板部の上面図を示す図である。
【図７】実施例にかかる導電カバー部を示す図である。
【符号の説明】
【００７０】
１０：再生装置、１２：制御部、１４：再生部、１６：信号処理部、１８：メモリ制御部、２０：ＲＡＭ、２２：ＤＡＣ、２４：操作部、２６：表示部、２８：押圧検出部、３０：回転検出部、３２：操作子、３４：センサ基板部、３６：導電カバー部、３８：操作円盤部、４０：回転軸、４２：スリットシート部、４４：センサパターン、４６：グランドパターン、４８：センサチップ、５０：マット部
【図１】
2008135147.tif 000003
【図２】
2008135147.tif 000004
【図３】
2008135147.tif 000005
【図４】
2008135147.tif 000006
【図５】
2008135147.tif 000007
【図６】
2008135147.tif 000008
【図７】
2008135147.tif 000009